(57)【特許請求の範囲】
【請求項１】
被観察者の口を覆い、背後が、観察者が直接覗き込むことによって前記口内の観察対象を観察視認するための観察窓部とされた筒型遮光フードと、該筒型遮光フードに設置され被観察者の口腔内に励起光を照射する発光部と、該発光部の設置位置より背後の筒型遮光フードに取付けられ少なくとも上記発光部が発する励起光をカットするフィルタとよりなることを特徴とする口腔観察器。
【請求項２】
請求項１に記載の口腔観察器において、
前記筒型遮光フードの観察窓部をして撮像機の受光部に着脱自在に装着可能とされていることを特徴とする口腔観察器。
【請求項３】
請求項１又は２に記載の口腔観察器において、
前記筒型遮光フードの前記被観察者側に位置する部分には、被観察者の唇部を拡開保持する為の一対のマウスピースを含む拡開器が、該一対のマウスピースが前記筒型遮光フードの被観察者側開口部に位置するよう装着されていることを特徴とする口腔観察器。
【請求項４】
被観察者の口を覆い、背後が、観察者が直接覗き込むことによって前記口内の観察対象を観察視認するための観察窓部とされた筒型遮光フードと、前記筒型遮光フードの前記被観察者側に位置する部分に装着され被観察者の唇部を拡開保持する為の一対のマウスピースを含む拡開器と、該拡開器のマウスピースに設置され該被観察者の口腔内に励起光を照射する発光部と、該発光部の設置位置より背後の筒型遮光フードに取付けられ少なくとも上記発光部が発する励起光をカットするフィルタとよりなり、前記一対のマウスピースが前記筒型遮光フードの被観察者側開口部に位置付けられていることを特徴とする口腔観察器。
【請求項５】
請求項１乃至４のいずれか１項に記載の口腔観察器において、
前記筒型遮光フードには、前記発光部用電源及びオン・オフ操作スイッチが設けられていることを特徴とする口腔観察器。
【請求項６】
請求項１乃至５のいずれか１項に記載の口腔観察器において、
前記発光部が、波長の異なる複数の励起光を発光し得る発光部からなることを特徴とする口腔観察器。
【請求項７】
請求項１乃至６のいずれか１項に記載の口腔観察器において、
前記励起光以外の光を発光し得る発光部を更に備えていることを特徴とする口腔観察器。
【請求項８】
請求項６又は７に記載の口腔観察器において、
前記筒型遮光フードには、前記発光部の選択切替スイッチが設けられていることを特徴とする口腔観察器。
【請求項９】
請求項１乃至８のいずれか１項に記載の口腔観察器において、
前記発光部が、ＬＥＤ、レーザ発振器及びハロゲンランプのいずれかからなることを特徴とする口腔観察器。
【請求項１０】
請求項１乃至９のいずれか１項に記載の口腔観察器において、
前記筒型遮光フードが、前記被観察者側の先側部分と、前記観察窓部側の本体部分とに分離可能とされていることを特徴とする口腔観察器。
【請求項１１】
請求項１乃至１０のいずれか１項に記載の口腔観察器において、
前記フィルタが筒型遮光フードに対して着脱可能とされていることを特徴とする口腔観察器。
【発明の詳細な説明】
【技術分野】
【０００１】
本発明は、口腔内の全体を観察して、歯牙のう蝕状況、欠損部、病変部や、歯石或いは歯垢の付着状況、根管部、歯肉、舌の病変部等の診断を行うのに用いる口腔観察器に関するものである。また、医師のみの使用に限られるものではなく、家庭においても、歯等の外観の確認やう蝕、歯石や歯垢の付着状況の確認に使用可能な口腔観察器に関するものである。
【背景技術】
【０００２】
近時、口腔医療においては、患者への説明及び記録用として口腔内写真を撮影することが一般的になってきた。このような口腔内の写真撮影が可能とされた装置としては、特許文献１或いは特許文献２の診断用撮影器や、特許文献３のう蝕検出装置が挙げられる。これら特許文献に開示された装置は、歯牙等に特定波長の励起光を照射すると、う蝕部や歯石或いは歯垢部から特有の蛍光を発する性質があることを利用し、クローズアップされた蛍光画像をＣＣＤ等の撮像手段で撮像し、適宜画像表示するものである。このように、蛍光画像によって上記病変部がクローズアップされることから、病変部の位置や程度が的確に把握され、患者への説明用や記録用更には治療に極めて有用であるが、蛍光画像の光度は微弱である為、室内照明や診療用無影灯等の外乱光によって埋没して不鮮明になることがある。その為、特許文献２や特許文献３では、この外乱光を遮断する遮光手段（遮光部材）を取付けることも開示している。
【０００３】
上記特許文献に開示された装置は、口腔内の２、３の歯を対象として撮影するものであるので、口腔内に挿入し得るようコンパクトに構成されている。一方、より鳥瞰的な写真である全顎写真の撮影が必要とされる場合がある。即ち、口腔状態の悪い患者に対しての説明の場合、全顎写真を撮影してその写真をもとにして説明すれば効果的であり、そのままカルテに貼ることも可能である。特に、予防的な見地からすれば、歯石、歯垢がどのように付着しているかを全顎にわたって説明することが非常に重要である。特許文献４には、全顎に励起光を照射し、歯から発する蛍光をＣＣＤで撮像して映像化処理し表示する修復歯の識別装置が開示されている。
【特許文献１】特開２００４−２３７０８１号公報
【特許文献２】特開２００５−１６８５２０号公報
【特許文献３】特開２００５−１１８１９７号公報
【特許文献４】特開２００５−１１８４２０号公報
【発明の開示】
【発明が解決しようとする課題】
【０００４】
ところで、上記のような口腔診断においては、蛍光画像を撮影及び映像化処理することなく術者自らが直接観察する方が診断効率上好ましい場合もある。また、家庭的使用では、単に歯牙等の蛍光画像を観察し得るだけの機能でもその有用価値は大きい。このような観点からは、上記特許文献に開示された装置は、励起光の発光源及びフィルタ等の光学系以外に、撮像手段、映像化処理部、表示部等を必須の構成要件とし、これらが組み合わさって機能するものであって、このような直接的な使用態様ではその適性に乏しく、また、装置構成が複雑化し且つ高コストとなる為、家庭的な使用での汎用性には難点があった。更に、一般カメラやデジタルカメラ等との適合性がなく、その応用範囲にも限度があった。
【０００５】
本発明は、上記に鑑みなされたものであり、口腔内の総合的な観察が的確になし得、しかも構造が簡易で且つ実用価値が高く、更には他の機器との適合性をも備えた新規な口腔観察器を提供する点にある。
【課題を解決するための手段】
【０００６】
請求項１の発明に係る口腔観察器は、被観察者の口を覆い、背後が、観察者が直接覗き込むことによって前記口内の観察対象を観察視認するための観察窓部とされた筒型遮光フードと、該筒型遮光フードに設置され被観察者の口腔内に励起光を照射する発光部と、該発光部の設置位置より背後の筒型遮光フードに取付けられ少なくとも上記発光部が発する励起光をカットするフィルタとよりなることを特徴とする。本発明においては、請求項２の発明のように、前記筒型遮光フードの観察窓部をして撮像機（例えば、一般カメラ、デジタルカメラ等）の受光部（レンズ部等）に着脱自在に装着可能としてもよい。
【０００７】
また、請求項３の発明のように、前記筒型遮光フードの前記被観察者側に位置する部分には、被観察者の唇部を拡開保持する為の一対のマウスピースを含む拡開器が、該一対のマウスピースが前記筒型遮光フードの被観察者側開口部に位置するよう装着されているものとすることも可能である。請求項４の発明に係る口腔観察器は、被観察者の口を覆い、背後が、観察者が直接覗き込むことによって前記口内の観察対象を観察視認するための観察窓部とされた筒型遮光フードと、前記筒型遮光フードの前記被観察者側に位置する部分に装着され被観察者の唇部を拡開保持する為の一対のマウスピースを含む拡開器と、該拡開器のマウスピースに設置され該被観察者の口腔内に励起光を照射する発光部と、該発光部の設置位置より背後の筒型遮光フードに取付けられ少なくとも上記発光部が発する励起光をカットするフィルタとよりなり、前記一対のマウスピースが前記筒型遮光フードの被観察者側開口部に位置付けられていることを特徴とする。
【０００８】
更に、請求項５の発明のように、前記筒型遮光フードには、前記発光部用電源及びオン・オフ操作スイッチが設けられていることが望ましい。また、請求項６の発明のように、前記発光部が、波長の異なる複数の励起光を発光し得る発光部からなるものとすることができる。加えて、請求項７の発明のように、前記励起光以外の光を発光し得る発光部を更に備えているものとすることもできる。請求項６又は７の発明においては、請求項８の発明のように、筒型遮光フードには、前記発光部の選択切替スイッチを設けるようにすることが望ましい。
【０００９】
そして、請求項９の発明のように、前記発光部が、ＬＥＤ、レーザ発振器及びハロゲンランプのいずれかからなることが望ましい。更に、請求項１０の発明のように、前記筒型遮光フードを、前記被観察者側の先側部分と、前記観察窓部側の本体部分とに分離可能とすること、或いは、請求項１１の発明のように、前記フィルタを筒型遮光フードに対して着脱可能とすることも可能である。
【発明の効果】
【００１０】
請求項１の発明によれば、筒型遮光フードが被観察者の口を覆いその背後が観察窓部とされているから、この観察窓部から口腔内の総合的な観察がなし得る。また、筒型遮光フードには被観察者の口腔内に励起光を照射する発光部が設置されているから、この励起光の照射により発する病変部の蛍光画像を観察することができ、しかも、筒型遮光フードによって外乱光が遮断されるから、蛍光画像が外乱光に埋没することなく明瞭に視認される。更に、筒型遮光フードには、少なくとも上記発光部が発する励起光をカットするフィルタが取付けられているから、被照射部から反射する励起光がこのフィルタによりカットされ、蛍光画像に対する発光部による励起光の影響を排除でき、より鮮明な蛍光画像を観察することができる。
【００１１】
従って、患者の口腔内の総合的な観察が直接的になされ、近時重要視される歯周病の予防やう蝕の予防医学の発展に大きく寄与する。また、家庭的な使用においても、特有の蛍光画像による病変部の状態が明瞭に観察され、家庭内での口腔内の予防的な把握が的確になされ、大事に至る前の適切な処置がなし得る。そして、筒型遮光フード、発光部及びフィルタによる簡易な構成であるから、低コストで提供することができ、汎用性が高められる。
【００１２】
また、請求項２の発明のように、筒型遮光フードの観察窓部をして撮像機の受光部に着脱自在に装着可能とすれば、既存の一般カメラ、デジタルカメラ、ビデオカメラ等に装着して、観察窓部からの蛍光画像を撮像し、画像データとして記録保存することもできる。特に、デジタルカメラに装着するようにすれば、画像データをそのままパーソナルコンピュータに保存して、患者に対する説明用として再生表示したり、カルテへ整理保存したりすることが簡易になされ、多様な使用態様が可能となり、簡単な構成ながら既存の機器と併用することにより、その実用価値を飛躍的に高めることができる。
【００１３】
そして、筒型遮光フードの前記被観察者側に位置する部分に、被観察者の唇部を拡開する為の拡開器を装着すれば、全顎が露見され、その観察が効果的になされる。この場合に、請求項４の発明のように、前記発光部を筒型遮光フードに代えこの拡開器のマウスピースに設置するようにすれば、全顎に対する励起光の均等な照射が可能となる。更に、請求項５の発明のように、筒型遮光フードに、前記発光部用電源及びオン・オフ操作スイッチを設けるようにすれば、コードレスとして任意の場所で上記観察が可能とされ、極めて便利である。
【００１４】
請求項６或いは請求項７の発明のように、前記発光部が、波長の異なる複数の励起光を発光し得る発光部からなるものとし、或いは、励起光以外の光を発光し得る発光部を更に備えているものとし、この場合に、請求項８の発明のように、筒型遮光フードに、発光部の選択切替スイッチを設けるようにすれば、病変部の状態に応じた蛍光を発する励起光を選択照射するようなし得る。或いは、励起光以外の光（例えば、白色光）を励起光と同時照射して、全体画像の中に病変部の蛍光画像の位置を的確に把握し得るようになすこともできる。更には、歯牙に補綴された光重合樹脂を硬化させる為の光や、ホワイトニング或いはティースマニキュアといった審美歯科の為の光を選択的に照射させるようにすることもできる。このように、多様な使用態様を可能とすることにより、幅広い診断情報を得、或いは多様な診療処置を実施することができる。
【００１５】
請求項９の発明のように、発光部が、ＬＥＤ、レーザ発振器及びハロゲンランプのいずれかからなるものとすれば、ＬＥＤは、小型、軽量、ローパワーであるから、簡単に取付けられると共に、安価にして必要な波長特性のＬＥＤを選択使用できる。一方、レーザ発振器は、光度が強力であるから、鮮明な蛍光画像が得られる。更に、ハロゲンランプも、市販のものが安価に入手することができる。また、請求項１０の発明のように、前記筒型遮光フードを、前記被観察者側の先側部分と、前記観察窓部側の本体部分とに分離可能とすれば、患者の口部に接触するこの先側部分を取外し、滅菌消毒することができ、衛生的であり患者に対して安心感を与えることができる。更に、請求項１１の発明のように、前記フィルタを筒型遮光フードに対して着脱可能とすれば、複数種の励起光を選択発光させることが可能とされている場合に、この発光特性に応じたフィルタを適宜交換装着することにより、励起光の影響排除が的確になされる。
【発明を実施するための最良の形態】
【００１６】
以下、本発明の最良の形態について図面に基づき説明する。図１は本発明の口腔観察器の一実施形態を示す斜視図、図２は同口腔観察器の使用状態の一例を示す縦断面図、図３は同口腔観察器の使用状態の別例を示す縦断面図、図４及び図５は他の実施形態の斜視図、図６及び図７は更に他の実施形態の縦断面図である。
【実施例１】
【００１７】
図１乃至図３に示す口腔観察器Ａは、先側開口部１ａで被観察者Ｐの口部ｍを覆い、背後の開口部が観察窓部１ｂとされた裁頭円錐形の筒型遮光フード１と、該筒型遮光フード１の内筒部に円環状取付基板２ａを介して設置された複数のＬＥＤからなる発光部２と、該円環状取付基板２ａの設置位置より観察窓部１ｂ側において筒型遮光フード１に着脱自在に装着されたフィルタ３と、筒型遮光フード１に設置された発光部用電源（例えば、ボタン電池等）４及び発光部用オン・オフ操作スイッチ５とよりなる。尚、発光部用電源を交流電源とすることも可能であり、この場合は筒型遮光フード１から適宜リード線（不図示）を導出し、室内の商用電源コンセントにプラク接続して使用される。
【００１８】
上記フィルタ３は、後記するように発光部２が発する励起光をカットする波長特性を備えたものであり、筒型遮光フード１に形成された半円弧状ガイド溝１ｃより筒型遮光フード１に装着可能とされ、摘み３ａをしてその装着・脱着がなされる。発光部２は、同一波長の励起光を発する複数のＬＥＤを円環状取付基板２ａの周方向に沿って配列し、或いは、異なる波長の励起光を発する複数のＬＥＤを同様に配列し、更には、励起光と励起光以外の光（例えば、白色光、青色、赤外光、紫外光等）を発する複数のＬＥＤを同様に配列して構成される。発光部２を複数種のＬＥＤを配列して構成する場合は、これらの選択切替スイッチ６が筒型遮光フード１に設置される。発光部２としては、ＬＥＤが小型、軽量、長寿命であることから最も望ましいが、レーザ発振器及びハロゲンランプ等も採用可能である。筒型遮光フード１の後端部（観察窓部１ｂの周縁部）には、雄ネジ部１ｄが形成され、後記するように、この雄ネジ部１ｄをして撮像機（カメラ等）の受光部（レンズ部等）に装着可能とされている。
【００１９】
発光部２は少なくとも励起光を発するものであることが必須であるが、この励起光の波長は４００±３０ｎｍであることが望ましく、このような波長特性の発光部２としては、一般に市販されているＬＥＤを使用すれば安価で入手することができる。このとき、フィルタ３は４３０ｎｍより長い波長の光のみを通過させる（４００±３０ｎｍの励起光をカットする）ものが選択採用される。或いは、励起光のみをカットするノッチフィルタを使用しても良い。また、励起光を発するレーザ発振器の波長としては、６３５ｎｍ近辺或いは７８０ｎｍ近辺のものであってもよい。この場合は、フィルタ３として、６３５ｎｍ近辺或いは７８０ｎｍ近辺の波長の光をカットするものが用いられるべきことは言うまでもない。このような複数種の波長の励起光用発光部を用い、これらを選択発光させる場合は、夫々に応じた波長特性のフィルタが上記半円弧状ガイド溝１ｃに交換装着される。
【００２０】
上記構成の口腔観察器Ａの使用例について述べる。図２は、患者（被観察者）Ｐの口腔内の歯列ｔに対して発光部２より励起光を照射し、この励起光により病変部から発する蛍光画像を観察窓部１ｂより直接観察する例を示している。即ち、患者Ｐの口部ｍを覆うように筒型遮光フード１の先側開口部１ａを宛がい、オン・オフ操作スイッチ５をオンして、発光部２より励起光を歯列ｔに照射する。前記特許文献に記載されているように、歯石、歯垢或いはう蝕部分（病変部）がある歯牙に、波長が４００±３０ｎｍの励起光を照射すると、この病変部からはオレンジ色乃至橙色の蛍光が発せられる。また、病変部以外の健全部では蛍光が発せられず、照射した励起光がそのまま反射する。
【００２１】
術者Ｏは観察窓部１ｂより歯列ｔの状態を自らの目で直接観察するが、上記病変部からの蛍光はフィルタ３を透過するも、その他の健全部で反射した励起光はフィルタ３でカットされるので、蛍光画像は励起光に埋没されず、クローズアップされて鮮明に視認される。しかも、筒型遮光フード１によって室内灯や無影灯、更には太陽光による外乱光が遮断されるから、病変部からの蛍光はこれらの外乱光にも埋没されず、観察窓部１ｂより病変部の状態観察が極めて明瞭且つ的確になされ、極めて有用な診断情報が得られる。しかも、歯石、歯垢がどのように付着しているかを、歯列ｔの略全顎に亘って観察できるから、予防的な見地からも有用な診断情報が得られる。また、この観察窓部１ｂより術者Ｏが直接覗き込まずとも、例えば手近な携帯電話に付属のカメラを覗き込ませて蛍光画像を撮像するという使い方も可能である。この場合には、観察窓部１ｂと該カメラとの間より外乱光が浸入することのないよう、ゴムやスポンジなどの弾性部材を適宜介して観察窓部１ｂへカメラの撮像部を宛がうとよい。
【００２２】
発光部２を励起光発光部と白色光発光部とより構成した場合、前記オン・オフ操作スイッチ５と選択切替スイッチ６との併用操作により、これら両発光部を同時発光させるようにすれば、歯列ｔの全体画像における病変部による蛍光画像の正確な位置関係等の把握に有効である。この場合、同時発光に限らず、時間差を以って発光させることも可能であることは言うまでもない。さらに、病変部の大きさや度合いによる蛍光強度の差異を補う為、適宜励起光及び白色光の光量調整手段（不図示）を筒型遮光フード１上に設けることも可能である。また、発光部２が赤外線発光部や紫外線発光部等をも備えたものである場合、これらの光の透過特性により、上記蛍光画像の観察に加えて、歯牙内のクラック等の観察も行え、これらの適宜併用使用により、診断価値の高い観察情報を得ることができる。更には、光重合樹脂用の硬化に適した波長（４７０ｎｍ程度）の光を発する発光部を備えたものとすれば、治療歯を見ながら歯牙に補綴された光重合樹脂の硬化にも使用することができる。また、ホワイトニング剤或いはティースマニキュア剤の活性化に適した光を発する発光部を備えたものとすれば、一般家庭においても手軽に歯牙のホワイトニング或いはティースマニキュアといった処置を行うことができる。
【００２３】
図３は、上記口腔観察器Ａを撮像機に装着して使用する例を示している。図例の撮像機はカメラ（一般銀塩カメラ、デジタルカメラ、ビデオカメラ等）７であって、その受光部としてのレンズ部７ａに、口腔観察器Ａが雄ネジ部１ｄを螺合させることによって装着されている。この例は、上記のような術者Ｏによる観察窓部１ｂでの直接的観察に代え、発光部２の照射による患者Ｐの口腔内の上記画像を銀塩フィルムやデジタルメディア等に記録するものであり、これら記録画像を現像或いは適宜再生することによって、患者への有効な説明資料として活用でき、或いはカルテ情報として記録保管することもできる。また、ビデオカメラや前記特許文献に開示されたような装置に装着して使用する場合は、その画像をモニター画面にリアルタイムに映し出しながら患者への説明に供することができる。
【００２４】
尚、カメラ７に対する装着は、図例のような雄ネジ部１ｄの螺合による場合に限らず、その他の適宜止め具等を用いて行うことも除外するものではない。また、撮像機としては、図例のようなカメラ７に限らず、撮像手段を内蔵するその他の機器も採用し得ることは言うまでもない。この使用例における口腔観察器Ａの構成は、上記と同様であるので、ここではその説明を割愛する。
【実施例２】
【００２５】
図４に示す口腔観察器Ｂは、上記口腔観察器Ａと同様構成の筒型遮光フード１の先側部分に、被観察者の唇部を拡開する為の拡開器８が装着されている例を示している。該拡開器８は筒型遮光フード１の外面位置に対向関係で取付けられた一対の屈曲自在な支持アーム８ａ、８ａと、この支持アーム８ａ、８ａの先端に連接され、患者の口の内側に宛がわれる一対のマウスピース部８ｂ、８ｂからなる。支持アーム８ａ、８ａは不図示のバネ部材により遠心方向に付勢されており、マウスピース部８ｂ、８ｂを患者の口に宛がう際は、この付勢力に抗して支持アーム８ａ、８ａを内側に撓ませ、その復元弾力によってマウスピース部８ｂ、８ｂをして患者の唇部を拡開保持せんとするものである。
【００２６】
このように、患者の唇部を拡開器８で大きく拡開した上で、先側開口部１ａにより患者の口部を覆い、上記同様発光部２を発光させて口腔内を照射するようにすれば、口腔内の全顎観察が好適になされ、口腔内の総合的な診断情報の取得が的確になされる。この例の口腔観察器Ｂも、図２のように術者Ｏが観察窓部１ｂから直接観察したり、図３のように観察窓部１ｂをして撮像機に装着し、撮像画像を介して観察したりするようになし得ることは言うまでもない。また、口腔観察器Ｂ自体の構成は、上記口腔観察器Ａと同様であるので、共通部分に同一の符号を付し、その説明を割愛する。
【実施例３】
【００２７】
図５に示す口腔観察器Ｃは、図４の例の変形例であって、発光部２が拡開器８のマウスピース部８ｂ、８ｂに設置されていることを特徴とするものである。従って、上記のような円環状取付基板２ａは存在せず、マウスピース部８ｂ、８ｂ自体が取付基板を兼ね、発光部２用の電気配線は、マウスピース部８ｂ、８ｂ及び支持アーム８ａ、８ａを介して不図示の電源及びオン・オフ操作スイッチ５等と結線されることになる。この例は、発光部２からの励起光等の発光位置が図４の例と異なるだけでその使用態様は同様であるが、全顎に対する励起光等の均等な照射が可能となる。その他の構成は上記と同様であるので、共通部分に同一の符号を付し、ここではその説明を割愛する。
【実施例４】
【００２８】
図６に示す口腔観察器Ｄは、筒型遮光フード１の先側部にステンレス等の磨き鋼板からなる上顎口蓋側用ミラー９を、筒型遮光フード１の軸心に対して斜め（約４５°）に装着可能としたものである。筒型遮光フード１の先側内壁部には、筒型遮光フード１の軸心に対して略４５°の角度をなす装着用溝１ｅが形成され、上記ミラー９はその側縁部をこの装着用溝１ｅに挿入させることによって装着される。このミラー９の上面が鏡面９ａとされ、口腔内に挿入し発光部２を発光させると、発光部２からの光はこの鏡面９ａで反射し、上顎口蓋側（上顎歯列の裏側）に照射され、その放射光（歯牙からの蛍光或いは反射光）は鏡面９ａで反射し、フィルタ３を透過した蛍光画像が観察窓部１ｂより観察される。
【００２９】
本発明の口腔観察器は、全顎観察に指向されるものであるが、上記ミラー９を装着し得るようにすれば、上顎口蓋側の観察もなし得、これらの適宜併用によって口腔内の総合的な観察がより的確になされる。この例の口腔観察器Ｄも、図２のように術者Ｏが観察窓部１ｂから直接観察したり、図３のように観察窓部１ｂをして撮像機に装着し、撮像画像を介して観察したりするようになし得ることは言うまでもない。また、上記口腔観察器Ｂや口腔観察器Ｃのように拡開器８を備えたものにも、本例のようなミラー９を具備させることも可能である。口腔観察器Ｄ自体の構成は、上記口腔観察器Ａと同様であるので、共通部分に同一の符号を付し、ここでもその説明を割愛する。
【実施例５】
【００３０】
図７に示す口腔観察器Ｅは、筒型遮光フード１が、被観察者側の先側部分がアタッチメント１０として、前記観察窓部１ｂ側の本体部分に対して分離可能としたものである。このアタッチメント１０は、前記本体部分に対して雌ネジ部１０ａによって螺合装着され、上記の使用例と同様に、口腔内観察に使用される時には、患者の口部に宛がわれるものである。従って、このような分離可能なアタッチメント１０を採用すれば、使用後取外して滅菌消毒することができ、歯科診療における衛生が保たれることになり、極めて有用である。本実施形態は、上記いずれの実施形態にも適用し得ることは言うまでもない。その他の構成は口腔観察器Ａと同様であるので、共通部分に同一の符号を付し、その説明を割愛する。
【００３１】
尚、筒型遮光フード１の材質としては、硬質合成樹脂、金属等が採用される。患者の口部に接触する先側部分は、軟質樹脂或いはゴム等によって形成することが望ましく、その弾性変形を伴う密着性により外乱光の浸入を効果的に阻止することができる。また、筒型遮光フード１の断面形状は、図例のような円形に限らず、楕円形或いは長円形状等、口部の形状に馴染み易い形状にし得るものであることは言うまでもない。特に、先側開口部１ｂでは、鼻が当る場合には適宜くびれ部を形成することが望ましい。
【００３２】
また、本発明の各口腔観察器における上記の使用例では、術者が使用する場合について述べたが、これに限らず家庭的な使用に供することも可能である。この場合、家族間で互いの口腔内を観察し合い、或いは指摘し合うことによって、口腔内の予防的な把握ができ、その健全保持に寄与させることができる。そして、構成が極めて簡易であるから、安価に製造することができ、家庭用としての汎用性にも優れたものとすることができる。
【図面の簡単な説明】
【００３３】
【図１】本発明の口腔観察器の一実施形態を示す斜視図である。
【図２】同口腔観察器の使用状態の一例を示す縦断面図である。
【図３】同口腔観察器の使用状態の別例を示す縦断面図である。
【図４】他の実施形態の斜視図である。
【図５】同実施形態の変形例を示す斜視図である。
【図６】更に他の実施形態の縦断面図である。
【図７】更に他の実施形態の縦断面図である。
【符号の説明】
【００３４】
１              筒型遮光フード
１ａ            先側開口部
１ｂ            観察窓部
２              発光部
３              フィルタ
４              電源
５              オン・オフ操作スイッチ
６              選択切替スイッチ
７              カメラ（撮像機）
７ａ            レンズ部（受光部）
８              拡開器
１０            アタッチメント（筒型遮光フードの先側部分）
Ａ、Ｂ、Ｃ、Ｄ、Ｅ      口腔観察器
Ｐ              患者（被観察者）
ｍ              口部
Ｏ              術者（観察者）
【図１】
0004576325.tif 000002
【図２】
0004576325.tif 000003
【図３】
0004576325.tif 000004
【図４】
0004576325.tif 000005
【図５】
0004576325.tif 000006
【図６】
0004576325.tif 000007
【図７】
0004576325.tif 000008